(57)【特許請求の範囲】
【請求項１】
磁気記録媒体に対面するレールが形成されたスライダーを有する磁気ヘッド組立体と、該磁気ヘッド組立体を揺動可能に支持するフレキシブル支持体を有するキャリッジと、前記フレキシブル支持体を間にして前記磁気ヘッド組立体に対向するように前記キャリッジに設けられて前記フレキシブル支持体に当接可能なピボットとを備えた磁気ヘッド装置であって、前記磁気ヘッド組立体は、断面が略Ｕ字型であるアウトリガーの、前記レール面より遠い前記略Ｕ字型の先端面にバックコアを接合し、更に、前記バックコアの背面からレール面に近い略Ｕ字型の先端面にかけて、コアを接合するとともに、前記磁気ヘッド組立体における前記ピボットに対面する部分に空隙を形成したことを特徴とする磁気ヘッド装置。
【請求項２】
磁気記録媒体に対面するレールが形成されたスライダーを有する磁気ヘッド組立体と、該磁気ヘッド組立体を揺動可能に支持するフレキシブル支持体を有するキャリッジと、前記フレキシブル支持体を間にして前記磁気ヘッド組立体に対向するように前記キャリッジに設けられて前記フレキシブル支持体に当接可能なピボットとを備えた磁気ヘッド装置であって、前記磁気ヘッド組立体は、コイルを巻回するコア体及び磁気シールド体を一体構造としたバックヨークを備え、スライダーは該バックヨークに接合されてなるとともに、前記磁気ヘッド組立体における前記ピボットに対面する部分に空隙を形成したことを特徴とする磁気ヘッド装置。
【請求項３】
空隙は溝であることを特徴とする請求項１又は請求項２に記載の磁気ヘッド装置。
【発明の詳細な説明】
【０００１】
【発明の属する技術分野】
本発明は、フロッピーディスク装置に用いられる磁気ヘッド装置に関する。
【０００２】
【従来の技術】
従来、ワープロまたはパソコンなどの外部記憶装置に用いられるものとして磁気ディスク装置が知られている。そして、磁気ディスク装置としては、比較的安価で、磁気記録媒体との間に互換性を持たせられるフロッピーディスク装置が広く用いられている。このフロッピーディスク装置に用いられる磁気ヘッド装置の一例として、図１２に示す磁気ヘッド装置１がある。
【０００３】
この磁気ヘッド装置１は、フロッピーディスクなどの磁気記録媒体２を挟み込むように一対の磁気ヘッド組立体３，３を配置し、磁気記録媒体２の両面に記録再生し得るようにしている。図１２において、磁気ヘッド装置１は、前記一対の磁気ヘッド組立体３，３と、磁気ヘッド組立体３を揺動可能に支持するフレキシブル支持体４をそれぞれ有する二組のキャリッジ（以下、適宜、便宜上、それぞれ第１のキャリッジ５ａ、第２のキャリッジ５ｂという。）とから大略構成されており、特にキャリッジ５ａには磁気ヘッド組立体３の磁気記録媒体２への追従性を良くするためにピボット１６が形成されている。
【０００４】
磁気ヘッド組立体３は、アウトリガー６ａ，６ｂと、記録再生及び消去用コア体（図２参照）７と、コア体７と共に閉磁路を形成する長手状（図１２紙面表裏方向に延びている）のバックコア８（図２参照）とから大略構成されている。コア体７のうち両端側のコア体７，７にコイル９が巻回されるようになっている。
【０００５】
前記第１、第２のキャリッジ５ａ，５ｂは長手形状であり、その先端部には凹部１４が形成されている。凹部１４の縁部に係止されるようにしてフレキシブル支持体４が設けられている。フレキシブル支持体４の中央部分（図３の載置部４ｃ参照）には磁気ヘッド組立体３が揺動可能に支持されており、スライダー１２のレール１１，１１が磁気記録媒体２に対面するように配置されている。第１のキャリッジ５ａの凹部１４の底面部１４ａには、フレキシブル支持体４を間にして磁気ヘッド組立体３に対向するようにピボット１６が設けられており、フレキシブル支持体４を介して磁気ヘッド組立体３の変位を規制し得るようにしている。
【０００６】
【発明が解決しようとする課題】
ところで、近時、フロッピーディスク装置ひいては磁気ヘッド装置について小型化、薄型化及び低廉化が要求されるようになっており、この要望に応えるために一対の磁気ヘッド組立体の距離をより狭める傾向にある。このため、上述した従来技術では、例えば磁気記録媒体２が装着されていないとき、キャリッジ（５ａ，５ｂ）に外部から衝撃が加わった際、Ｆ＝ｍａ（ｍ：キャリッジの質量、ａ：加速度）の力が磁気ヘッド組立体３に直接作用し、磁気ヘッド組立体３のレール１１が破損してしまう虞があった。
【０００７】
本発明は、上記事情に鑑みてなされたもので、磁気ヘッド組立体にキャリッジ側から外力が作用しても磁気ヘッド組立体の破損を抑制できる磁気ヘッド装置を提供することを目的とする。
【０００８】
請求項１記載の発明は、上記目的を達成するために、磁気記録媒体に対面するレールが形成されたスライダーを有する磁気ヘッド組立体と、該磁気ヘッド組立体を揺動可能に支持するフレキシブル支持体を有するキャリッジと、前記フレキシブル支持体を間にして前記磁気ヘッド組立体に対向するように前記キャリッジに設けられて前記フレキシブル支持体に当接可能なピボットとを備えた磁気ヘッド装置であって、前記磁気ヘッド組立体は、断面が略Ｕ字型であるアウトリガーの、前記レール面より遠い前記略Ｕ字型の先端面にバックコアを接合し、更に、前記バックコアの背面からレール面に近い略Ｕ字型の先端面にかけて、コアを接合するとともに、前記磁気ヘッド組立体における前記ピボットに対面する部分に空隙を形成したことを特徴とする。
【０００９】
請求項２記載の発明は、磁気記録媒体に対面するレールが形成されたスライダーを有する磁気ヘッド組立体と、該磁気ヘッド組立体を揺動可能に支持するフレキシブル支持体を有するキャリッジと、前記フレキシブル支持体を間にして前記磁気ヘッド組立体に対向するように前記キャリッジに設けられて前記フレキシブル支持体に当接可能なピボットとを備えた磁気ヘッド装置であって、前記磁気ヘッド組立体は、コイルを巻回するコア体及び磁気シールド体を一体構造としたバックヨークを備え、スライダーは該バックヨークに接合されてなるとともに、前記磁気ヘッド組立体における前記ピボットに対面する部分に空隙を形成したことを特徴とする。
請求項３記載の発明は、請求項１又は請求項２に記載の構成において、空隙は溝であることを特徴とする。
【００１０】
【発明の実施の形態】
本発明の実施の形態（図５、図６）を説明するために、まず、参考例としての磁気ヘッド装置１を図１ないし図４に基づいて説明する。なお、図１２に示す部材、部分と同等の部材、部分についての図示及び説明は、適宜、省略する。図１中、図１２の第２のキャリッジ５ｂ及びこの第２のキャリッジ５ｂに設けられる磁気ヘッド組立体３を保持したフレキシブル支持体４については記載を省略している。磁気ヘッド装置１は、図１２に示されるアウトリガー６の他端部６ｂを、図１及び図２に示すように切欠いて、これにより、磁気ヘッド組立体３におけるピボット１６に対面する部分に空隙１７を形成したものになっている。
【００１１】
フレキシブル支持体４は、図３に示すように、凹部１４の縁部に固定されるコ字形基部４ａと、コ字形基部４ａに揺動可能に支持される矩形フレーム部４ｂと、矩形フレーム部４ｂの内側に位置してこの矩形フレーム部４ｂに揺動可能に支持される載置部４ｃとから大略構成されている。磁気ヘッド組立体３は、図３及び図４に示すように、載置部４ｃにバックコア８及びコア体７の他端部７ｂ及びアウトリガー６の他端部６ｂ側を接合することにより、載置部４ｃに固着されている。図３及び図４中１８はコイル９を巻回するボビンであり、コイル９はこのボビン１８を介してコア体７に巻回されている。図３中１９は記録再生用ギャップ、２０は消去用ギャップである。
【００１２】
このように構成した磁気ヘッド装置１では、磁気ヘッド組立体３におけるピボット１６に対面する部分に空隙１７を形成したことにより、フレキシブル支持体４の載置部４ｃにおける空隙１７に対面する部分４ｃ１は、スライダー１２側（図１下側）に撓みやすくなる。そして、磁気記録媒体２が装着されていないときに、仮にキャリッジ（５ａ，５ｂ）に外部から衝撃が加わったとしても、ピボット１６からの力により載置部４ｃ（フレキシブル支持体４）における空隙１２に対面する部分４ｃ１が撓んで当該力を吸収する。このため、大きな力が磁気ヘッド組立体３に伝達されることを抑制し、ひいては磁気ヘッド組立体３のレール１１が破損するようなことを防止でき、耐衝撃特性の向上が図れる。さらに、上述したように耐衝撃特性の向上が図れることにより、フロッピーディスク装置の薄型化に適切に対処できることになる。
【００１３】
図５は、本発明の第１の実施の形態を示す。この磁気ヘッド装置１は、図５に示すように断面が略Ｕ字型（図１及び図２参照）であるアウトリガー６の他端部６ｂ及びバックコア８におけるフレキシブル支持体４との対面側部分を所定深さ切除することにより、磁気ヘッド組立体３におけるピボット１６に対面する部分に空隙１７を形成したものになっている。また、前記バックコア８は、図５に示すように、アウトリガー６の、レール面（レール１１面）より遠い側（図５上側）の略Ｕ字型の先端面に接合されている。更に、バックコア８の背面からレール面（レール１１面）に近い側（図５下側）の略Ｕ字型の先端面にかけて、コア体７（コア）が接合されている。
【００１４】
図６は、本発明の第２の実施の形態を示す。この磁気ヘッド装置１は、図６に示すように断面が略Ｕ字型（図１、図２及び図５参照）であるアウトリガー６の他端部６ｂにおけるピボット１６を含む部分に略半円状の切欠（空隙）２１を形成したものになっている。また、前記バックコア８は、図６に示すように、アウトリガー６の、レール面（レール１１面）より遠い側（図５上側）の略Ｕ字型の先端面に接合されている。更に、バックコア８の背面からレール面（レール１１面）に近い側（図５下側）の略Ｕ字型の先端面にかけて、コア体７（コア）が接合されている。
【００１５】
前記第１、第２の実施の形態も、磁気記録媒体２が装着されていないときに、仮にキャリッジ（５ａ，５ｂ）に外部から衝撃が加わったとしても、参考例と同様にして、大きな力が磁気ヘッド組立体３に伝達されることが抑制され、ひいては磁気ヘッド組立体３のレール１１が破損するようなことを防止でき、耐衝撃特性の向上が図れる。さらに、上述したように耐衝撃特性の向上が図れることにより、フロッピーディスク装置の薄型化に適切に対処できることになる。
【００１６】
次に、本発明の第３の実施の形態を図７ないし図１０に基づいて説明する。この第３の実施の形態の磁気ヘッド装置１の磁気ヘッド組立体３は、図９及び図１０に示すように、参考例のスライダー１２に対応するようにレール１１を備え、フロントコア１３を有するスライダー体２２と、このスライダー体２２に接合され、バックコアとなる形状を有するバックヨーク２３とから大略構成されている。
【００１７】
バックヨーク２３は、図１０に示すように、矩形の基板部２４と、基板部２４に並んで直立形成された３本（図２参照）のコア体７と、コア体７を覆うように基板部２４に形成された磁気シールド体２５とからなり、基板部２４、コア体７及び磁気シールド体２５を一体構造としている。３本のコア体７の内両端側の２本のコア体７には、図９及び図１０に示すようにボビン１８を介してコイル９が巻回されている。コイル９の引き出し線９ａは、磁気シールド体２５に形成された窓２５ａを通して外部に引き出させている。磁気シールド体２５は、コイル９及び３本のコア体７とフロントコア１３で形成された磁気回路への外部磁界の影響を遮断するようにしている。
【００１８】
磁気ヘッド組立体３は、図７及び図８に示すように、バックヨーク２３の基板部２４を載置部４ｃに接合することにより、フレキシブル支持体４の載置部４ｃに固着されている。基板部２４における載置部４ｃとの接合面部には、スライダー１２の溝１０に沿うように凹溝２６（空隙）が形成されている。この凹溝２６は、図７に示すように、磁気ヘッド組立体３をフレキシブル支持体４に組付けた状態でピボット１６に対面するようになっている。凹溝２６は、バックヨーク２３の成形時に形成するようにしている。なお、凹溝２６の形成は、バックヨーク２３の成形後に機械加工などにより行うようにしてもよい。
【００１９】
この第３の実施の形態では、磁気記録媒体２が装着されていないときに、仮にキャリッジ（５ａ，５ｂ）に外部から衝撃が加わったとしても、第１の実施の形態と同様にして、大きな力が磁気ヘッド組立体３に伝達されることが抑制され、ひいては磁気ヘッド組立体３のレール１１が破損するようなことを防止でき、耐衝撃特性の向上が図れる。上述したように耐衝撃特性の向上が図れることにより、フロッピーディスク装置の薄型化に適切に対処できることになる。また、空隙は凹溝２６であり、形成しやすい上、空隙を切欠により構成する場合に比して、バックヨーク２３の強度低下を必要最小限に抑えることができる。
【００２０】
次に、本発明の第４の実施の形態を図１１に基づいて説明する。この第４の実施の形態の磁気ヘッド装置１は、第３の実施の形態のバックヨーク２３の基板部２４に形成した凹溝２６に代えて、基板部２４における前記載置部４ｃとの接合面部に円形凹部２７を設けた点が第３の実施の形態に比して異なっている。この円形凹部２７は、磁気ヘッド組立体３をフレキシブル支持体４に組付けた状態でピボット１６（図７参照）に対面するようになっている。なお、円形凹部２７に代えて楕円、矩形等の他の形状の凹部でもよい。
【００２１】
この第４の実施の形態では、磁気記録媒体２が装着されていないときに、仮にキャリッジ（５ａ，５ｂ）に外部から衝撃が加わったとしても、第１の実施の形態と同様にして、大きな力が磁気ヘッド組立体３に伝達されることが抑制され、ひいては磁気ヘッド組立体３のレール１１が破損するようなことを防止でき、耐衝撃特性の向上が図れる。上述したように耐衝撃特性の向上が図れることにより、フロッピーディスク装置の薄型化に適切に対処できることになる。
【００２２】
【発明の効果】
請求項１から請求項３までのいずれかに記載の発明は、フレキシブル支持体における空隙に対面する部分が撓みやすくなるので、磁気記録媒体が装着されていないときに、仮にキャリッジに外部から衝撃が加わったとしても、ピボットからの力によりフレキシブル支持体における空隙に対面する部分が撓んで当該力が吸収され、大きな力が磁気ヘッド組立体に伝達されることが抑制され、ひいては磁気ヘッド組立体のレールが破損するようなことを防止でき、耐衝撃特性の向上が図れる。さらに、上述したように耐衝撃特性の向上が図れることにより、フロッピーディスク装置の薄型化に適切に対処できることになる。
【図面の簡単な説明】
【図１】参考例としての磁気ヘッド装置を示す断面図である。
【図２】図１の磁気ヘッド装置の磁気ヘッド組立体を示す斜視図である。
【図３】図１の磁気ヘッド組立体及びフレキシブル支持体を示す斜視図である。
【図４】図３のＡ−Ａ線に沿う断面図である。
【図５】本発明の第１の実施の形態における磁気ヘッド組立体を示す斜視図である。
【図６】本発明の第２の実施の形態における磁気ヘッド組立体を示す斜視図である。
【図７】本発明の第３の実施の形態における磁気ヘッド組立体を示す断面図である。
【図８】図７の磁気ヘッド組立体を示す斜視図である。
【図９】図７の磁気ヘッド組立体及びフレキシブル支持体を示す斜視図である。
【図１０】図７のＢ−Ｂ線に沿う断面図である。
【図１１】本発明の第４の実施の形態における磁気ヘッド組立体を示す断面図である。
【図１２】従来の磁気ヘッド装置の一例を示す断面図である。
【符号の説明】
１    磁気ヘッド装置
２    磁気記録媒体
３    磁気ヘッド組立体
５ａ  第１のキャリッジ
１１  レール
１２  スライダー
１６  ピボット
１７  空隙
【図１】
0003588689.tif 000002
【図２】
0003588689.tif 000003
【図３】
0003588689.tif 000004
【図４】
0003588689.tif 000005
【図５】
0003588689.tif 000006
【図６】
0003588689.tif 000007
【図７】
0003588689.tif 000008
【図８】
0003588689.tif 000009
【図９】
0003588689.tif 000010
【図１０】
0003588689.tif 000011
【図１１】
0003588689.tif 000012
【図１２】
0003588689.tif 000013